(57)【要約】      （修正有）【課題】多数の永久磁石を配設した衣料品を、商品出荷の際の包装作業や商品購入後の非装着時に、畳んで保管したり、ハンガー掛けしたりする作業を迅速に整然と行うことが可能な磁石付衣料用包装台紙を提供する。【解決手段】多数の永久磁石を配設した衣料品の形態保持のために衣料品に内装される概略上半身形状又は下半身形状の折畳み可能な厚紙又は樹脂製の包装台紙１であって、包装台紙１には衣料品の折畳み線に対応する折れ線２〜５が形成されていて、衣料品に内装された状態で折れ線２〜５に沿って衣料品と一体に折畳み可能であることを特徴とする。【選択図】図１
0003207855.tif 000002
【実用新案登録請求の範囲】
【請求項１】
多数の永久磁石を配設した衣料品の形態保持のために前記衣料品に内装される概略上半身形状又は下半身形状の折畳み可能な厚紙又は樹脂製の包装台紙であって、前記包装台紙には前記衣料品の折畳み線に対応する折れ線が形成されていて、前記衣料品に内装された状態で前記折れ線に沿って前記衣料品と一体に折畳み可能であることを特徴とする磁石付衣料用包装台紙。
【請求項２】
前記包装台紙には、ツボの位置とツボ名が各ツボの対応位置に表現されている、請求項１に記載の磁石付衣料用包装台紙。
【請求項３】
前記包装台紙は上半身形状であって、前記折れ線は、左半部及び右半部の各中間部縦方向及び中間部横方向に配設される、請求項１又は２に記載の磁石付衣料用包装台紙。
【請求項４】
前記横方向に配設される折れ線は、平行に２本形成される、請求項３に記載の磁石付衣料用包装台紙。
【請求項５】
前記２本の横方向の折れ線間は幅狭にされる、請求項４に記載の磁石付衣料用包装台紙。
【請求項６】
前記包装台紙は下半身形状であって、前記折れ線は、中央部縦方向と、左半部及び右半部のほぼ３等分位置横方向に配設される、請求項１又は２に記載の磁石付衣料用包装台紙。
【請求項７】
前記縦方向に配設される折れ線は、平行に２本形成される、請求項６に記載の磁石付衣料用包装台紙。
【考案の詳細な説明】
【技術分野】
【０００１】
本考案は、磁石付衣料用包装台紙に関するものであり、より詳細には、例えば、磁気治療用のベストや上着、タイツ等の多数の永久磁石を配設した衣料を、迅速に見た目よく整然と畳み込んで包装することができる磁石付衣料用包装台紙に関するものである。
【背景技術】
【０００２】
多数の永久磁石を配設したベストや上着、タイツ等の形態の磁気治療用衣料や、袖が本体に磁着されていて取り外し可能なレインウエア等の、多数の永久磁石を配設した衣料が種々出回っている。これらの多数の永久磁石を配設した衣料品の場合、その永久磁石同士が吸着し合うため、商品出荷の際の包装作業、あるいは、商品購入者が、非装着時に畳んで引き出しにしまったり、ハンガー掛けしたりする作業を迅速に整然と行うことは困難である。また、一旦ハンガーに吊り下げたりしても、ちょっとした刺激で永久磁石同士が吸着し合い、くしゃくしゃに縮まって型崩れしやすくなるという問題がある。
【先行技術文献】
【特許文献】
【０００３】
【特許文献１】特開２００４−２０８８３４号公報
【特許文献２】実開平７−２１０６０号公報
【考案の概要】
【考案が解決しようとする課題】
【０００４】
上述したように、多数の永久磁石を配設した衣料品の場合、その永久磁石同士が吸着し合うため、商品出荷の際の包装作業、あるいは、商品購入者が、非装着時に畳んだり、ハンガー掛けしたりする作業を迅速に整然と行うことが困難であり、また、一旦ハンガーに吊り下げたりしても、ちょっとした刺激で永久磁石同士が吸着し合い、くしゃくしゃに縮まって型崩れしやすくなるという問題があった。
【０００５】
本考案はこのような問題を解決するためになされたもので、多数の永久磁石を配設した衣料品を、商品出荷の際の包装作業、あるいは、商品購入者が、非装着時に畳んで保管したり、ハンガー掛けしたりする作業を迅速に整然と行うことが可能な磁石付衣料用包装台紙を提供することを課題とする。
【課題を解決するための手段】
【０００６】
上記課題を解決するための請求項１に記載の考案は、多数の永久磁石を配設した衣料品の形態保持のために前記衣料品に内装される概略上半身形状又は下半身形状の折畳み可能な厚紙又は樹脂製の包装台紙であって、前記包装台紙には前記衣料品の折畳み線に対応する折れ線が形成されていて、前記衣料品に内装された状態で前記折れ線に沿って前記衣料品と一体に折畳み可能であることを特徴とする磁石付衣料用包装台紙である。
【０００７】
一実施形態においては、前記包装台紙には、ツボの位置とツボ名が各ツボの対応位置に表現される。
【０００８】
一実施形態においては、前記包装台紙は上半身形状であって、前記折れ線は、左半部及び右半部の各中間部縦方向及び中間部横方向に配設される。前記横方向に配設される折れ線は、平行に２本刻設されることが好ましく、その場合、前記２本の横方向の折れ線間は幅狭にされる。
【０００９】
一実施形態においては、前記包装台紙は下半身形状であって、前記折れ線は、中央部縦方向と、左半部及び右半部のほぼ３等分位置横方向に配設される。前記縦方向に配設される折れ線は、平行に２本刻設されることが好ましい。
【考案の効果】
【００１０】
本考案は上記のとおりであって、本考案に係る包装台紙には衣料品の折畳み線に対応する折れ線が形成されていて、衣料品に内装された状態で折れ線に沿って衣料品と一体に折畳み可能であるため、衣料品を迅速に見た目よく整然と畳み込んで包装することができるので、商品出荷の際の包装作業や商品購入後の取り扱い作業を難なく行い得る効果がある。また、その作業の際、衣料品に内装することにより衣料品を展張状態に保持できるので、衣料品に含まれる永久磁石同士の吸着を防止できるので、永久磁石同士が吸着し合ってくしゃくしゃに縮まり、型崩れを起こすおそれがないという効果がある。
【図面の簡単な説明】
【００１１】
【図１】本考案に係る磁石付衣料用包装台紙（上半身用）の展開状態を示す正面図である。
【図２】本考案に係る磁石付衣料用包装台紙（上半身用）の展開状態を示す背面図である。
【図３】図１おけるＡ−Ａ部拡大図である。
【図４】本考案に係る磁石付衣料用包装台紙（上半身用）の折畳み方法を示す正面図である。
【図５】本考案に係る磁石付衣料用包装台紙（下半身用）の展開状態を示す正面図である。
【図６】本考案に係る磁石付衣料用包装台紙（下半身用）の展開状態を示す背面図である。
【図７】図５おけるＡ−Ａ部拡大図である。
【図８】本考案に係る磁石付衣料用包装台紙（下半身用）の折畳み方法を示す正面図である。
【考案を実施するための形態】
【００１２】
本考案を実施するための形態について、添付図面を参照しつつ詳細に説明する。本考案に係る磁石付衣料用包装台紙は、多数の永久磁石を配設した衣料品の形態保持のために衣料品に内装される、概略上半身形状又は下半身形状の折畳み可能な厚紙又は樹脂製の包装台紙１であり、その包装台紙１に、衣料品の折畳み線に対応する折れ線２〜５が刻設されていて、衣料品に内装された状態で、折れ線２〜５に沿って衣料品と一体に折畳み可能であることを特徴とする。
【００１３】
図１乃至図４に示される実施形態における衣料品は磁気治療用のベスト２１であり、ベスト２１にはその表裏に多数の永久磁石２２が取り付けられている。この場合の包装台紙１は概略上半身形状に形成され、好ましくはその表裏に、上半身のツボ７の位置とツボ名が各ツボの対応位置に表現される（図３参照）。このツボ７の位置は、ベスト２１の永久磁石２２取り付け位置にほぼ対応する。
【００１４】
この実施形態の場合の折れ線２〜５は、包装台紙１の左半部及び右半部の各中間部縦方向（折れ線２，３）及び中間部横方向（折れ線４，５）に配設される。横方向に配設される折れ線は、平行に２本刻設されることが好ましく、その場合、２本の横方向の折れ線４，５間は幅狭にされて、幅狭部６が形成されることが好ましい。
【００１５】
図４は、この包装台紙１の使用法として、ベスト２１を被着した状態で折畳む方法を示すものである。そのために先ず、包装台紙１を展開した状態でベスト２１を被着するが（図４（Ａ））、この状態においてベスト２１は、縦横に展張されるため、各永久磁石２２は離隔されて、互いに吸着し合うことはない。そこで、左右の縦方向の折れ線２，３からベスト２１ごと後方に折り曲げて重ね（図４（Ｂ））、次いで、横方向の折れ線４，５からベスト２１ごと後方に折り曲げて重ねる（図４（Ｃ））。
【００１６】
幅狭部６が設けられるときは、上側折畳み部分と下側折畳み部分とが離隔されるので、折畳み操作が一層楽になると共に、形を整えやすくなる。
【００１７】
以上の折畳み作業の間、並びに、折畳み後においてベスト２１は、縦横に展張されたままであって、永久磁石２２同士が吸着し合うことがないので、難なく迅速に折畳み包装操作を行うことができ、また、永久磁石２２同士が吸着し合ってくしゃくしゃに縮まり、型崩れを起こしたりすることなく、その見た目のよい畳み込み包装状態を維持させることができる。
【００１８】
図５〜８に示される実施形態における衣料品は磁気治療用タイツ２３であり、タイツ２３にはその表裏に多数の永久磁石２２が取り付けられている。この場合の包装台紙１は概略下半身形状に形成され、好ましくはその表裏に、下半身のツボ７の位置とツボ名が各ツボの対応位置に表現される（図７参照）。このツボ７の位置は、タイツ２３の永久磁石２２取り付け位置にほぼ対応する。
【００１９】
この実施形態の場合の折れ線８〜１３は、包装台紙１の中央部縦方向（折れ線８，９）と、左半部及び右半部のほぼ３等分位置横方向（折れ線１０〜１３）に配設される。通例、縦方向に配設される折れ線８，９は、平行に２本刻設される。また、折れ線１０〜１３についても同様に２本線とすることが好ましい。その場合の２本線の間隔は、折れ線８，９よりも狭間隔にされる。
【００２０】
図８は、この包装台紙１の使用法として、タイツ２３を被着した状態で折畳む方法を示すものである。そのために先ず、包装台紙１を展開した状態でタイツ２３を被着するが（図８（Ａ））、この状態においてタイツ２３は、縦横に展張されるため、各永久磁石２２は離隔されて、互いに吸着し合うことはない。
【００２１】
そこで、左右の各二段の横方向の折れ線１０〜１３のうちの下段の折れ線１１，１３から下の部分をタイツ２３ごと後方に折り曲げて畳み（図８（Ｂ））、次いで、上段の折れ線１０，１２から下の部分をタイツ２３ごと後方に折り畳み（図８（Ｃ））、更に、縦方向の折れ線８，９から右半部を左半部の裏側に折り畳む（図８（Ｄ））。その際、縦方向の折れ線８，９とが平行に２本刻設されていると、右半部と左半部とが離隔されるので、折畳み操作が一層楽になると共に、形を整えやすくなる。
【００２２】
以上の折畳み作業の間、並びに、折畳み後においてタイツ２３は、縦横に展張されたままであって、永久磁石２２同士が吸着し合うことがないので、難なく迅速に折畳み包装操作を行うことができ、また、永久磁石２２同士が吸着し合ってくしゃくしゃに縮まり、型崩れを起こしたりすることなく、その見た目のよい畳み込み包装状態を維持させることができることは、上記ベスト２１の場合と同様である。
【００２３】
以上の説明においては、上半身形状の包装台紙１を用いる多数の永久磁石を配設した衣料品としてベスト２１を挙げ、下半身形状の包装台紙１を用いる衣料品としてタイツ２３が挙げているが、他の上半身用又は下半身用の衣料品の場合も、同様の作用効果が得られることは言うまでもない。
【符号の説明】
【００２４】
１        包装台紙
２〜５    折れ線
６        幅狭部
７        ツボ
８〜１３  折れ線
２１      ベスト
２２      永久磁石
２３      タイツ
【図１】
0003207855.tif 000003
【図２】
0003207855.tif 000004
【図３】
0003207855.tif 000005
【図４】
0003207855.tif 000006
【図５】
0003207855.tif 000007
【図６】
0003207855.tif 000008
【図７】
0003207855.tif 000009
【図８】
0003207855.tif 000010